【手続補正書】
【提出日】平成17年3月16日(2005.3.16)
【手続補正１】
【補正対象書類名】明細書
【補正対象項目名】特許請求の範囲
【補正方法】変更
【補正の内容】
【特許請求の範囲】
【請求項１】
複数の走査線と、この走査線の延設方向に対して交差する方向に延設された複数のデータ線と、上記データ線と上記走査線とによりマトリクス状に形成された画素とを具備する画像表示装置において、
上記データ線は第１及び第２のデータ信号を供給する夫々第１及び第２のデータ線からなり、
上記画素は、上記画素を所定のサイクルで選択する走査信号が上記走査線を介して供給される第１及び第２の能動素子と、
上記第１及び第２の能動素子を介して夫々上記第１及び第２データ線から供給される夫々上記第１及び第２のデータ信号を保持する夫々第１及び第２の容量素子と、
上記第１の容量素子によって保持された上記第１のデータ信号が供給される第３の能動素子と、
上記第３の能動素子を介して上記第１のデータ信号に応じた電流が供給され第１の点灯状態となる発光素子と、
１走査サイクルに、上記発光素子の点灯状態を変更する変更手段とを有し、
上記変更手段は、上記第２のデータ信号に基づいて中間データを生成し、上記中間データを上記第３の能動素子に供給し、上記発光素子の上記第１の点灯状態を、上記中間データに応じた電流による第２の点灯状態に変更する
ことを特徴とする画像表示装置。
【請求項２】
上記１走査サイクルの間に同一の走査線に接続された各画素の上記発光素子を少なくとも走査線単位で強制的に消灯する制御手段を有し、該制御手段は、上記発光素子を上記点灯状態から消灯状態にすることを特徴とする請求項１記載の画像表示装置。
【請求項３】
上記変更手段は、上記第１の容量素子により保持される上記第１のデータ信号と上記第２の容量素子により保持される上記第２のデータ信号とを結合して上記中間データを生成する合成手段を有することを特徴とする請求項１記載の画像表示装置。
【請求項４】
上記合成手段は、上記第１の容量素子と上記第２の容量素子とを結合する第４の能動素子であり、
上記変更手段は、上記第４の能動素子に制御信号を供給する結合制御線を有することを特徴とする請求項３記載の画像表示装置。
【請求項５】
上記第１のデータ線及び上記第２のデータ線に夫々上記第１のデータ信号及び上記第２のデータ信号を供給するデータ線駆動回路を有し、
上記データ線駆動回路は、上記第１のデータ信号から上記第２のデータ信号を生成する信号処理回路を有し、
上記信号処理回路は、上記第１のデータ信号から所定のデータを切り出すデータ切り出し手段と、
上記データ切り出し手段が切り出した切出データに基づいてクラスコードを発生するクラス分類手段と、
上記第１のデータ信号から上記第２のデータ信号へ変換するための推定式の予測係数が上記クラスコード毎に記憶され、上記クラスコードに対応する予測係数を出力する予測係数記憶手段と、
上記予測係数記憶手段から出力された上記予測係数と上記切出データとに基づいて推定演算して上記中間データを出力する推定演算手段と、
上記第１のデータ信号及び上記中間データから上記第２のデータ信号を生成するデータ変換部と
を有することを特徴とする請求項１記載の画像表示装置。
【請求項６】
上記予測係数記憶手段に記憶される予測係数を予め学習する学習手段を有し、
上記学習手段は、上記第１のデータ信号のフレーム周波数が変換された周波数変換データ信号を上記第２のデータ信号として生成するフレーム周波数変換手段と、
上記周波数変換データ信号から所定のデータを切り出すデータ切り出し手段と、  上記データ切り出し手段が切り出した切出データに基づいてクラスコードを発生するクラス分類手段と、
上記第１のデータ信号と上記周波数変換データ信号から切り出された上記切出データとが入力されこの各データに基づき予測係数を算出する予測係数演算部と、
上記予測係数演算部にて演算された上記予測係数を、上記クラスコードと共に記憶する予測係数記憶手段と
を有することを特徴とする請求項５記載の画像表示装置。
【請求項７】
複数の走査線と、この走査線の延設方向に対して交差する方向に延設された複数のデータ線と、上記データ線と上記走査線とによりマトリクス状に形成された画素とを具備する画像表示装置において、
上記データ線は第１及び第２のデータ信号を供給する夫々第１及び第２のデータ線からなり、
上記画素は、上記画素を所定のサイクルで選択する走査信号が上記走査線を介して供給される第１及び第２の能動素子と、
上記第１及び第２の能動素子を介して夫々上記第１及び第２データ線から供給される夫々上記第１及び第２のデータ信号を保持する夫々第１及び第２の容量素子と、
上記第１の容量素子によって保持された上記第１のデータ信号が供給される第３の能動素子と、
上記第３の能動素子を介して上記第１のデータ信号に応じた電流が供給され第１の点灯状態となる発光素子と、
１走査サイクルに、上記発光素子の点灯状態を変更する変更手段とを有し、
上記変更手段は、上記第２のデータ信号を上記第３の能動素子に供給し、上記発光素子の上記第１の点灯状態を、上記第２のデータ信号に応じた電流による第２の点灯状態に変更する
ことを特徴とする画像表示装置。
【請求項８】
上記１走査サイクルの間に同一の走査線に接続された各画素の発光素子を少なくとも走査線単位で強制的に消灯する制御手段を有し、該制御信号は、上記発光素子を上記点灯状態から消灯状態にすることを特徴とする請求項７記載の画像表示装置。
【請求項９】
上記変更手段は、上記第１の容量素子と上記第２の容量素子とに接続された第５の能動素子と、上記第５の能動素子に制御信号を供給する選択制御線とを有し、上記選択信号により上記第１の容量素子により保持される上記第１のデータ信号又は上記第２の容量素子により保持される上記第２のデータ信号のいずれかを選択することを特徴とする請求項７記載の画像表示装置。
【請求項１０】
上記第１のデータ線及び上記第２のデータ線に夫々上記第１のデータ信号及び上記第２のデータ信号を供給するデータ線駆動回路を有し、
上記データ線駆動回路は、上記第１のデータ信号から上記第２のデータ信号を生成する信号処理回路を有し、
上記信号処理回路は、上記第１のデータ信号から所定のデータを切り出すデータ切り出し手段と、
上記データ切り出し手段が切り出した切出データに基づいてクラスコードを発生するクラス分類手段と、
上記第１のデータ信号から上記第２のデータ信号へ変換するための推定式の予測係数が上記クラスコード毎に記憶され、上記クラスコードに対応する予測係数を出力する予測係数記憶手段と、
上記予測係数記憶手段から出力された上記予測係数と上記切出データとに基づいて推定演算して上記第２のデータ信号を出力する推定演算手段と
を有することを特徴とする請求項７記載の画像表示装置。
【請求項１１】
上記予測係数記憶手段に記憶される予測係数を予め学習する学習手段を有し、
上記学習手段は、上記第１のデータ信号のフレーム周波数が変換された周波数変換データ信号を上記第２のデータ信号として生成するフレーム周波数変換手段と、
上記周波数変換データ信号から所定のデータを切り出すデータ切り出し手段と、  上記データ切り出し手段が切り出した切出データに基づいてクラスコードを発生するクラス分類手段と、
上記第１のデータ信号と上記周波数変換データ信号から切り出された上記切出データとが入力されこの各データに基づき予測係数を算出する予測係数演算部と、
上記予測係数演算部にて演算された上記予測係数を、上記クラスコードと共に記憶する予測係数記憶手段と
を有することを特徴とする請求項１０記載の画像表示装置。
【請求項１２】
複数の走査線と、この走査線の延設方向に対して交差する方向に延設された複数のデータ線と、上記データ線と上記走査線とによりマトリクス状に形成された画素とを具備する画像表示装置の画像表示方法において、
上記データ線は第１及び第２のデータ信号を供給する夫々第１及び第２のデータ線からなり、上記画素を所定のサイクルで選択する走査信号が上記走査線を介して上記画素の第１及び第２の能動素子に供給され、
上記第１及び第２の能動素子を介して夫々上記第１及び第２データ線から夫々上記第１及び第２のデータ信号が夫々第１及び第２の容量素子に供給され、
上記第１の容量素子によって保持された上記第１のデータ信号が第３の能動素子に供給され、
上記第３の能動素子を介して上記第１のデータ信号に応じた電流が発光素子に供給されて第１の点灯状態とし、
１走査サイクルの間に、上記第２のデータ信号に基づいて中間データを生成し、上記中間データを上記第３の能動素子に供給し、上記発光素子の上記第１の点灯状態を、上記中間データに応じた電流による第２の点灯状態に変更する変更工程を有する
ことを特徴とする画像表示方法。
【請求項１３】
複数の走査線と、この走査線の延設方向に対して交差する方向に延設された複数のデータ線と、上記データ線と上記走査線とによりマトリクス状に形成された画素とを具備する画像表示装置の画像表示方法において、
上記データ線は第１及び第２のデータ信号を供給する夫々第１及び第２のデータ線からなり、上記画素を所定のサイクルで選択する走査信号が上記走査線を介して上記画素の第１及び第２の能動素子に供給され、
上記第１及び第２の能動素子を介して夫々上記第１及び第２データ線から夫々上記第１及び第２のデータ信号が夫々第１及び第２の容量素子に供給され、
上記第１の容量素子によって保持された上記第１のデータ信号が第３の能動素子に供給され、
上記第３の能動素子を介して上記第１のデータ信号に応じた電流が発光素子に供給されて第１の点灯状態とし、
１走査サイクルの間に、上記第２のデータ信号を上記第３の能動素子に供給し、上記発光素子の上記第１の点灯状態を、上記第２のデータ信号に応じた電流による第２の点灯状態に変更する変更工程を有する
ことを特徴とする画像表示方法。